(57)【特許請求の範囲】
【請求項１】
ベッド等において、メインフレーム長手方向に沿って、メインフレーム長手方向軸廻りにサイドフレームを回動可能に支持すると共に、このサイドフレームに近接してサイドフレーム側方をカバーする幕板を固定配置し、前記サイドフレームにベッド用付属品の付属品支持手段を支える支持基台を回動可能に設け、この支持基台は、前記付属品支持手段を幕板の下端側を越えて幕板外側に露出した状態と、メインフレーム下面側に格納した状態とに拘束する構造としたことを特徴とするベッド等におけるベッド用付属品支持装置。
【請求項２】
ベッド等において、メインフレーム長手方向に沿って、メインフレーム長手方向軸廻りにサイドフレームを回動可能に支持すると共に、このサイドフレームに幕板をサイドフレームに平行に取り付ける一方、前記サイドフレームを挟んでこの幕板と対向するようにサイドフレームにベッド用付属品の付属品支持手段を取り付け、ベッド用付属品使用時に、前記サイドフレームを中心に幕板と前記付属品支持手段とを回転させて付属品支持手段をボトム幅方向外側に露出させ、ベッド用付属品非使用時に、サイドフレームを中心に幕板と前記付属品支持手段とを回転させて、付属品支持手段をサイドフレームよりベッド内側に格納するようにしたことを特徴とするベッド等におけるベッド用付属品支持装置。
【発明の詳細な説明】
【０００１】
【発明の属する技術分野】
本発明は、ベッド用付属品の非使用時には、付属品支持手段をボトム下方内側に格納しておき、使用時にボトム側方に露出させて、ベッド用付属品を装着することができるようにした、ベッド等におけるベッド用付属品支持装置に関するものである。
【０００２】
【従来の技術】
従来、ベッドのサイドフレームは、ベッド本体（メインフレーム、中床）に固定する構造としていた。このため、幕板（ナチュラルな木目を有する木製つき板や、端面に模様を施した化粧合板もしくは合成樹脂板）とベッド用付属品（例えば側柵、介助バー、小物入れ等）の支持手段とは、常時、ボトム側方に露出していた。
【０００３】
【発明が解決しようとする課題】
従って、１．外観が劣る。２．ベッドのボトム側部において床面に足を着けた状態で座ったような場合、足の脛裏にあたるなどの不都合がある。
かかる対策として、ベッド用付属品を使用する際は、幕板を取り外して後付けで付属品支持手段、および付属品使用時の幕板の保管場所を考慮しなくてはならない。
また、付属品使用時における、幕板取り外しからくる、外観の悪化という問題もある。
本発明はこのような課題を改善するために提案されたものであって、ベッド用付属品の非使用時には、付属品支持手段をボトム下方内側に格納しておき、使用時にボトム側方に露出させて、ベッド用付属品を装着することができるようにした、ベッド等におけるベッド用付属品支持装置を提供することを目的とする。
【０００４】
【課題を解決するための手段】
前記した課題を解決するために、本発明では、請求項１において、ベッド等において、メインフレーム長手方向に沿って、メインフレーム長手方向軸廻りにサイドフレームを回動可能に支持すると共に、このサイドフレームに近接してサイドフレーム側方をカバーする幕板を固定配置し、前記サイドフレームにベッド用付属品の付属品支持手段を支える支持基台を回動可能に設け、この支持基台は、前記付属品支持手段を幕板の下端側を越えて幕板外側に露出した状態と、メインフレーム下面側に格納した状態とに拘束する構造としたベッド等におけるベッド用付属品支持装置を提案する。
また本発明では、請求項２において、ベッド等において、メインフレーム長手方向に沿って、メインフレーム長手方向軸廻りにサイドフレームを回動可能に支持すると共に、このサイドフレームに幕板をサイドフレームに平行に取り付ける一方、前記サイドフレームを挟んでこの幕板と対向するようにサイドフレームにベッド用付属品の付属品支持手段を取り付け、ベッド用付属品使用時に、前記サイドフレームを中心に幕板と前記付属品支持手段とを回転させて付属品支持手段をボトム幅方向外側に露出させ、ベッド用付属品非使用時に、サイドフレームを中心に幕板と前記付属品支持手段とを回転させて、付属品支持手段をサイドフレームよりベッド内側に格納するようにしたベッド等におけるベッド用付属品支持装置を提案する。
【０００５】
請求項１によれば、ベッド用付属品を使用する際は、サイドフレームを中心として支持基台を回転させ、付属品支持手段を幕板の下端側を越えて幕板外側に露出させた状態で支持基台を保持する。このように前記付属品支持手段は、幕板外側に露出することになるが、他の箇所は、幕板は動くことなく、サイドフレーム全体をカバーするので、外観上の不都合はない。
一方、ベッド用付属品を使用しないときは、前記支持基台を、サイドフレームを中心として回転させ、付属品支持手段を幕板の下端側を越えてメインフレーム下面側にもたらした状態で支持基台を保持する。かかる状態でも、幕板は不動であるので、ベッド側面全体が幕板でカバーされ、外観性に問題はない。
【０００６】
請求項２によれば、ベッド用付属品を使用しないときは、幕板をボトム幅方向外側に面する状態に保持する一方、付属品支持手段を、サイドフレームよりベッド内側に保持する。従って、ベッド側面は幕板でカバーされた状態となる。
一方、ベッド用付属品を使用するときは、サイドフレーム中心に幕板と付属品支持手段とを回転させて、付属品支持手段をボトム幅方向外側に露出させて保持するようにする。
【０００７】
【発明の実施の形態】
次に、本発明にかかるベッド等におけるベッド用付属品支持装置について、一つの実施の形態を示すと共に、添付の図面に基づいて、以下説明する。なお、本実施態様では、ベッド用付属品として側柵を例示し説明するものとする。
図１、図２に本発明にかかるベッド用付属品支持装置２を設けたベッド１を示す。
このベッド１では、メインフレーム３長手方向に沿って、すなわちボトム４幅方向側面の下方の位置に、メインフレーム３長手方向軸廻りにメインフレーム３のベッド幅方向に指向する短手側端面に設けたＵ字型受け部材５を介し、サイドフレーム６を回動可能に支持すると共に、このサイドフレーム６に近接してサイドフレーム６側方をカバーする幕板７を固定配置している。
そして前記ベッド用付属品支持装置２は、ここでは側柵８を支えるものとして示しており、前記サイドフレーム６に付属品支持手段である柵受け手段９を支える柵受け基台１０を回動可能に設けている。
【０００８】
前記幕板７は、断面Ｌ型のもので、図示は省略するが、適宜な取付手段によってメインフレーム３側に固定することができる。この場合、屈曲外側面のうちの長い方をボトム４幅方向外側に面するようにしている。
【０００９】
前記柵受け基台１０は、例えば合成樹脂の一体成形体によって構成することができ、一長辺寄りの両端側に前記サイドフレーム６を挿通してサイドフレーム６に柵受け基台１０を固定するようにした取付部１１，１１を突設する一方、他長辺寄りの両端側に柵受けパイプ１２を植設した保持部１３，１３を突設している。また前記柵受け基台１０は、長手方向中心軸に沿って所定幅肉薄に形成しており、この長手方向中心軸近傍を、前記幕板７の下端側に近接できるようにしている。
そして、かかる柵受け基台１０は、適宜な拘束手段により、柵受けパイプ１２を植設した保持部１３，１３を幕板７の下端側を越えて幕板７外側に露出した状態と、メインフレーム３下面側に格納した状態とに拘束される構造としている（図４参照）。
【００１０】
以上のような構造において、側柵８を使用する際は、柵受け基台１０の拘束手段を解除して、サイドフレーム６を中心として柵受け基台１０を回転させ（図４参照）、柵受けパイプ１２を植設した保持部１３，１３を幕板７の下端側を越えて幕板７外側に露出させ、拘束手段により柵受け基台１０を拘束する。これによって、側柵８の脚部Ｌを柵受けパイプ１２における差込穴Ｈに差し込むことで、側柵８を保持することができる。この場合、柵受け基台１０の柵受けパイプ１２を植設した保持部１３，１３を幕板７の下端側を越えて幕板７外側に露出することになるが、他の箇所は、幕板７が変わらず、サイドフレーム６斜め上方からカバーするので、外観上の不都合はない。
【００１１】
そして側柵８を使用しないときは、再び柵受け基台１０の拘束手段を解除して、サイドフレーム６を中心として柵受け基台１０を回転させ、柵受けパイプ１２を植設した保持部１３，１３を幕板７の下端側を越えてメインフレーム３下面側にもたらし、拘束手段により拘束することができる。かかる状態でも、幕板７は不動であるので、ベッド側面全体が幕板７でカバーされた状態となり、外観性に問題はない。しかも幕板７は、屈曲外側面のうちの長い方をボトム４幅方向外側に面する状態であるので、ボトム４幅方向端面から外側に大きく突出することはなく、ベッド側面における足着き性に問題はない。
【００１２】
さらに本発明にかかるベッド等におけるベッド用付属品支持装置は、以下のように構成することもできる。この場合の構造では、メインフレーム（図示省略）のベッド幅方向に指向する短手側端面に設けた受け部材（図示省略）に回動可能に支持したサイドフレーム６に、断面Ｌ型の幕板７と柵受けパイプ１２とを、サイドフレーム６を挟んで対向するように取り付ける構成としている。
前記幕板７の屈曲外側面のうちの長い方をサイドフレーム６に連結手段１４を介して取り付け、一方の柵受けパイプ１２は、図中、差込穴Ｈを鉛直下方に指向した状態で連結手段１５によりダイレクトに連結している。なお、かかる支持構造においても、適宜な拘束手段により、幕板７と柵受けパイプ１２とを、サイドフレーム６を中心として１８０度水平方向に回転して拘束するようにしている。
【００１３】
以上のような支持構造によれば、側柵８を使用しないときは、幕板７が屈曲外側面のうちの長い方をボトム４幅方向外側に面する状態に保持される一方（図５参照）、柵受けパイプ１２側は、メインフレーム下面側に差込穴Ｈを鉛直下方に指向した状態で保持される。従って、ベッド側面は幕板７でカバーされた状態となる。
一方、側柵８を使用するときは、サイドフレーム６中心に幕板７と柵受けパイプ１２とを１８０度回転させ、柵受けパイプ１２をメインフレーム下面側から、回転露出させ、差込穴Ｈが鉛直上方に指向する状態で保持するようにする（図６参照）。
【００１４】
【発明の効果】
以上の通り、本発明によれば、回転型サイドフレームを利用してベッド用付属品の付属品支持手段と、幕板とを設け、付属品使用時、非使用時に付属品支持手段をボトム幅方向外側に露出させたり、ボトム下方内側に格納する構造としたことで、付属品非使用時には幕板により外観性を損ねることはなく、また、端座位もとりやすい。さらに幕板を取り外し不要としたことで不要部品も発生しないので、取り扱い性が格段に向上するものとなる。
【００１５】
【図面の簡単な説明】
【図１】本発明にかかるベッド用付属品支持装置を適用したベッドの一例を示す、外観斜視図である。
【図２】図１に示すベッドのＡ方向から見た、概略正面図である。
【図３】図１に示すベッド用付属品支持装置の配置図並びに要部斜視説明図である。
【図４】図３に示すベッド用付属品支持装置の動作軌跡を示す、透視的要部拡大断面図である。
【図５】本発明にかかるベッド用付属品支持装置の別例を示す、省略的要部拡大断面図である。
【図６】図５におけるベッド用付属品支持装置の使用状態を示す、省略的要部拡大断面図である。
【符号の説明】
１                          ベッド
２                          ベッド用付属品支持装置
３                          メインフレーム
４                          ボトム
５                          受け部材
６                          サイドフレーム
７                          幕板
８                          側柵
９                          柵受け手段
１０                        柵受け基台
１１                        取付部
１２                        柵受けパイプ
１３                        保持部
１４、１５                  連結手段
Ｌ                          脚部
Ｈ                          差込穴
【図１】
0003582719.tif 000002
【図２】
0003582719.tif 000003
【図３】
0003582719.tif 000004
【図４】
0003582719.tif 000005
【図５】
0003582719.tif 000006
【図６】
0003582719.tif 000007